(57)【特許請求の範囲】
【請求項１】
直交するｘ軸方向とｙ軸方向とに沿って延伸する矩形基板であるアレイ基板であって、
前記アレイ基板が複数の走査線と複数のデータ線と複数の画素電極とを含み、
それぞれの前記走査線は複数の第１走査線ステージと複数の第２走査線ステージとを含み、
複数の前記第１走査線ステージと複数の前記第２走査線ステージは互い違いに設け、かつ接続し、
複数の前記第１走査線ステージは、それぞれ第１方向に傾斜して設けられ、複数の前記第２走査線ステージは第２方向に傾斜して設けられ、
前記第１方向は前記ｘ軸方向及び前記ｙ軸方向とは異なり、
前記第１方向は前記ｘ軸方向に対向して傾斜し、かつ前記第１方向と前記ｘ軸方向との間に第１夾角を具え、
前記第２方向は前記ｘ軸方向と前記ｙ軸方向及び前記第１方向とは異なり、
前記第２方向が前記ｘ軸方向に対向して傾斜し、かつ前記第２方向と前記ｘ軸方向との間に第２夾角を具え、
それぞれの前記データ線は、複数の第１データ線ステージと複数の第２データ線ステージと複数の第３データ線ステージとを含み、
複数の前記第１データ線ステージと複数の前記第２データ線ステージと複数の前記第３データ線ステージとは、前記第１データ線ステージ、前記第２データ線ステージ、前記第１データ線ステージ、前記第３データ線ステージの順に互い違いに設け、かつ接続し、
複数の前記第１データ線ステージはｙ軸方向に対向して傾斜して設けられ、
複数の前記第２データ線ステージは、それぞれ前記第２方向に沿って傾斜して設けられ、
複数の前記第３データ線ステージは、それぞれ前記第１方向に沿って傾斜して設けられ、
それぞれの画素電極は、第１部分と第２部分とを含み、
前記第１部分は前記第１方向に沿って傾斜して設けられ、前記第２部分は前記第２方向に沿って傾斜して設けられ、
前記第１部分は、少なくとも１つの第１メイン部と複数の第１サブ部とを含み、
前記第１メイン部は前記第１方向に沿って傾斜して設けられ、前記第１サブ部は、それぞれ平行し、かつ前記第１メイン部と交わり、
前記第２部分は、少なくとも１つの第２メイン部と複数の第２サブ部とを含み、
前記第２メイン部は前記第２方向に沿って傾斜して設けられ、かつ前記第１メイン部と接続し、複数の前記第２サブ部は、それぞれ平行し、かつ前記第２メイン部と交わる
ことを特徴とするアレイ基板。
【請求項２】
請求項１に記載のアレイ基板において、
互いに平行する複数の前記第１サブ部において、隣り合う２つの前記第１サブ部の間の距離がいずれも等しく、
互いに平行する複数の前記第２サブ部において、隣り合う２つの前記第２サブ部の間の距離がいずれも等しい
ことを特徴とするアレイ基板。
【請求項３】
請求項１または請求項２に記載のアレイ基板において、
前記第１夾角と前記第２夾角とは互いに補角の関係にある
ことを特徴とするアレイ基板。
【請求項４】
請求項１から請求項３のいずれかに記載のアレイ基板において、
前記画素電極のそれぞれの前記第１部分が、２つの互いに平行する第１メイン部を含み、前記第１メイン部がそれぞれ前記第１方向に沿って傾斜して設けられ、
複数の前記第１サブ部がそれぞれ２つの前記第１メイン部の間に設けられ、かつ２つの前記第１メイン部と互いに交わり、
前記画素電極のそれぞれの前記第２部分が、２つの互いに平行する第２メイン部を含み、前記第２メイン部がそれぞれ前記第２方向に沿って傾斜して設けられるとともに、それぞれ２つの前記第１メイン部に接続し、
複数の前記第２サブ部がそれぞれ２つの前記第２メイン部の間に設けられ、かつ２つの前記第２メイン部と互いに交わる
ことを特徴とするアレイ基板。
【請求項５】
請求項１から請求項４のいずれかに記載のアレイ基板において、
前記複数の第２サブ部が前記第１サブ部と互いに平行する
ことを特徴とする請求項３に記載のアレイ基板。
【請求項６】
請求項１から請求項５のいずれかに記載のアレイ基板において、
前記第２データ線ステージと前記第１走査線ステージとが、少なくとも部分的に重畳し、かつ異なる層に位置し、
前記第３データ線ステージと前記第２走査線ステージとが、少なくとも部分的に重畳し、かつ異なる層に位置する
ことを特徴とするアレイ基板。
【請求項７】
請求項１から請求項６のいずれかに記載のアレイ基板と、
前記アレイ基板に対向して設けるカラーフィルタ基板と、
前記アレイ基板と前記カラーフィルタ基板との間に設ける液晶層とを含んでなり、
前記アレイ基板が、さらにコモン電極を含み、画素電極と前記コモン電極が前記液晶層に対して横方向の電場を印加する
ことを特徴とする液晶デバイス。
【発明の詳細な説明】
【技術分野】
【０００１】
この発明は、液晶表示技術に関し、特にアレイ基板及び液晶表示デバイスに関する。
【背景技術】
【０００２】
目下液晶表示デバイスにおいて、液晶表示パネルの構造として、例えばアクティブマトリクスタイプは、画素領域を具えるＴＦＴ（薄膜トランジスタ）アレイ基板と、ＴＦＴアレイ基板に対向するカラーフィルタ基板と、ＴＦＴアレイ基板とカラーフィルタ基板との間に設ける液晶層とを含んでなり、画素領域に画素スイッチ素子の作用を有する複数の薄膜トランジスタを形成する。アクティブマトリクスタイプの液晶パネルにおいては、画素スイッチ素子から画素電極に電圧を出力し、画素電極とコモン電極との間に電場を発生させて液晶層に印加し、液晶層の液晶分子の配向を変化させる。ここから液晶層を通過する光線の透過率係数を調整して画像の表示を実現する。
【０００３】
屋外用の偏光サングラスを介して液晶表示デバイスを見た場合、液晶表示デバイスの光線の透過軸と偏光サングラスの透過軸線とが同一であって、はじめて液晶表示デバイス上の画像を効率よく視認することができる。従来のフリンジフィールドスイッチング（Ｆｒｉｎｇｅ  Ｆｉｅｌｄ  Ｓｗｉｔｃｈｉｎｇ、略称ＦＦＳ）スタイルは、画素電極を一辺がＸ軸に平行する矩形にデザインする。画素領域の透過軸は、即ち画素電極の長い一辺か短い一辺に平行して延伸する。液晶表示デバイスの透過軸は、時に偏光サングラスの透過軸と一致しない場合がある。このため液晶表示デバイスの画像を可視的に観察することが難しくなる。
【発明の概要】
【発明が解決しようとする課題】
【０００４】
この発明は、上述する従来の技術の問題を解決することを目的とし、即ち、偏光サングラスを介して液晶デバイスを見た場合の液晶デバイス上の画像の視認性を高め、視野角に対する依存度を低減するアレイ基板及び液晶デバイスを提供することを課題とする。
【課題を解決するための手段】
【０００５】
上述する課題を解決するためにこの発明の採用する技術プランは、一種のアレイ基板を提供するものであって、直交するｘ軸方向と該ｙ軸方向とに沿って延伸する矩形基板であるアレイ基板が、該アレイ基板上に設ける複数の画素電極を含む。
【０００６】
、
それぞれの該画素電極が第１方向に沿って傾斜して設ける第１部分と、第２方向に沿って傾斜して設ける第２部分とを含む。
【０００７】
該第１方向が該ｘ軸方向及び該ｙ軸方向と異なり、かつ該第１方向が該ｘ軸方向に対向し、傾斜して設けられるとともに、該第１方向と該ｘ軸方向との間に第１夾角が形成される。
【０００８】
該第２方向が該ｘ軸方向及び該ｙ軸方向と該第１方向と異なり、かつ該第２方向が該ｘ軸方向に対向し、傾斜して設けられるとともに、該第２方向と該ｘ軸方向との間に第２夾角が形成される。
【０００９】
該第１部分が、該第１方向に沿って傾斜して設けられる少なくとも１以上の第１メイン部と、それぞれ平行して設けられ、かつ該第１メイン部と交わる複数の第１サブ部と、を含み、該第２部分が、該第２方向に沿って傾斜して設けられ、該第１メイン部に接続する少なくとも１以上の第２メイン部と、それぞれ平行して設けられ、かつ該第２メイン部と交わる複数の第２サブ部と、を含み、互いに平行する複数の該第１サブ部において、隣り合う２つの第１サブの間の距離がいずれも等しく、互いに平行する複数の該第２サブ部において、隣り合う２つの第２サブの間の距離がいずれも等しい。
【００１０】
該第１夾角と該第２夾角とが互いに補い合う。
【００１１】
前記画素電極のそれぞれの該第１部分が、２つの互いに平行する第１メイン部を含み、該第１メイン部がそれぞれ該第１方向に沿って傾斜して設けられる。
【００１２】
複数の該第１サブ部がそれぞれ２つの該第１メイン部の間に設けられ、かつ２つの該第１メイン部が互いに交わる。
【００１３】
該画素電極のそれぞれの該第２部分が、２つの互いに平行する第２メイン部を含み、該第２メイン部がそれぞれ該第２方向に沿って傾斜して設けられるとともに、それぞれ２つの該第１メイン部に接続する。
【００１４】
複数の該第２サブ部がそれぞれ２つの該第２メイン部の間に設けられ、かつ２つの該第２メイン部が互いに交わる。
【００１５】
該複数の第２サブ部が該第１サブ部と互いに平行する。
【００１６】
前記アレイ基板がさらに複数の走査線と複数のデータ線とを含む。
【００１７】
それぞれの該走査線が複数の第１走査線ステージと複数の第２走査線ステージとを含む。
【００１８】
複数の該第１走査線ステージと複数の該第２走査線ステージとを互い違いに設け、かつ接続するとともに、複数の該第１走査線ステージが第２方向に傾斜して設けられ、複数の該第２走査線ステージは該第１方向に傾斜して設けられる。
【００１９】
それぞれの該データ線は複数の第１データ線ステージと複数の第２データ線ステージと複数の第３データ線ステージとを含む。
【００２０】
複数の該第１データ線ステージと複数の該第２データ線ステージと複数の該第３データ線ステージとを第１データ線ステージ、第２データ線ステージ、第１データ線ステージ、第３データ線ステージの順に互い違いに設け、かつ接続し、複数の該第１データ線ステージが、それぞれ複数の該第１サブ部に平行し、複数の該第２データ線ステージが、それぞれ該第２方向に傾斜して設けられ、複数の該第３走査ステージが、該第１方向に傾斜して設けられる。
【００２１】
前記第２データ線ステージと該第１走査線ステージとが、少なくとも部分的に重畳し、かつ異なる層に位置する。
【００２２】
該第３データ線ステージと該第２走査線ステージとが、少なくとも部分的に重畳し、かつ異なる層に位置する。
【００２３】
上述する課題を解決するために、この発明が別途採用する技術プランは一種のアレイ基板を提供するものであって、直交するｘ軸方向とｙ軸方向とに沿って延伸する矩形基板であるアレイ基板が複数の走査線と複数のデータ線と複数の画素電極とを含む。
【００２４】
それぞれの該走査線は複数の第１走査線ステージと複数の第２走査線ステージとを含む。
【００２５】
複数の該第１走査線ステージと複数の該第２走査線ステージは互い違いに設け、かつ接続し、複数の該第２走査線ステージは、それぞれ第１方向に傾斜して設けられ、複数の該第１走査線ステージは第２方向に傾斜して設けられ、該第１方向は該ｘ軸方向及び該ｙ軸方向とは異なり、該第１方向は該ｘ軸方向に対向して傾斜し、かつ該第１方向と該ｘ軸方向との間に第１夾角を具え、該第２方向は該ｘ軸方向と該ｙ軸方向及び該第１方向とは異なり、該第２方向が該ｘ軸方向に対向して傾斜し、かつ該第２方向と該ｘ軸方向との間に第２夾角を具える。
【００２６】
それぞれの該データ線は、複数の第１データ線ステージと複数の第２データ線ステージと複数の第３データ線ステージとを含む。
【００２７】
複数の該第１データ線ステージと複数の該第２データ線ステージと複数の該第３データ線ステージとは、第１データ線ステージ、第２データ線ステージ、第１データ線ステージ、第３データ線ステージの順に互い違いに設け、かつ接続し、複数の該第１データ線該はｙ軸方向に対向し傾斜して設けられ、複数の該第２データ線ステージは、それぞれ第２方向に沿って傾斜して設けられ、複数の該第３データ線ステージは、それぞれ第１方向に沿って傾斜して設けられる。
【００２８】
それぞれの画素電極は、第１部分と第２部分とを含み、該第１部分は該第１方向に沿って傾斜して設けられ、該第２部分は第２方向に沿って傾斜して設けられる。
【００２９】
該第１部分は、少なくとも複数の第１メイン部と複数の第１サブ部とを含み、該第１メイン部は該第１方向に沿って傾斜して設けられ、該第１サブ部は、それぞれ平行し、かつ該第１メイン部と交わる。
【００３０】
該第２部分は、少なくとも１つの第２メイン部と複数の第２サブ部とを含み、該第２メイン部は該第２方向に沿って傾斜して設けられ、かつ該第１メイン部と交わり、複数の該第２サブ部は、それぞれ平行し、かつ該第２メイン部と交わる。
【００３１】
該第１夾角と該第２夾角とが互いに補い合う。
【００３２】
該画素電極のそれぞれの該第１部分が、２つの互いに平行する第１メイン部を含み、該第１メイン部がそれぞれ該第１方向に沿って傾斜して設けられる。
【００３３】
複数の該第１サブ部がそれぞれ２つの該第１メイン部の間に設けられ、かつ２つの該第１メイン部が互いに交わる。
【００３４】
該画素電極のそれぞれの該第２部分が、２つの互いに平行する第２メイン部を含み、該第２メイン部がそれぞれ該第２方向に沿って傾斜して設けられるとともに、それぞれ２つの該第１メイン部に接続する。
【００３５】
複数の該第２サブ部がそれぞれ２つの該第２メイン部の間に設けられ、かつ２つの該第２メイン部が互いに交わる。
【００３６】
上述する課題を解決するために、別途この発明の採用する技術プランは、一種の液晶デバイスを提供するものであって、上述するアレイ基板と、該アレイ基板に対向して設けるカラーフィルタ基板と、該アレイ基板と該カラーフィルタ基板との間に設ける液晶層とを含んでなり、該アレイ基板が、さらにコモン電極を含み、画素電極と該コモン電極が該液晶層に対して横方向の電場を印加する。
【発明の効果】
【００３７】
この発明は従来の技術と異なり、アレイ基板上の画素電極を傾斜させて設ける。係る設計によって、画素電極はｘ軸とｙ軸とは異なる方向に傾斜して設けられ、偏光サングラスを介して液晶表示デバイスを見た場合の液晶デバイス上の画像の視認性を高め、視野角に対する依存度を低減することができる。
【図面の簡単な説明】
【００３８】
【図１】この発明のアレイ基板の実施の形態における画素電極の構造を示した説明図である・
【図２】この発明のアレイ基板の実施の形態に示した説明図である。
【図３】この発明のアレイ基板の実施の形態における第１方向と第２方向とｘ軸とｙ軸の相対的な関連を示した説明図である。
【図４】この発明の液晶デバイスの実施の形態における構造を示した説明図である。
【発明を実施するための形態】
【実施例】
【００３９】
この発明について、具体的な実施例を挙げ、図面を参照にして以下に詳述する。
【００４０】
この発明の実施の形態は、一種のアレイ基板を提供するものであって、該アレイ基板はｘ軸方向とｙ軸方向に沿って延伸する矩形基板である。ｘ軸方向とｙ軸方向とは直交する。矩形基板の隣り合う２辺はそれぞれｘ軸及びｙ軸と平行する。アレイ基板は複数の画素電極を含み、複数の画素電極は図１に開示するようにアレイ基板に設けられる。それぞれの画素電極は、少なくとも第１部分１と、第２部分２とを含み、第１部分は第１方向に沿って傾斜して設ける。第１方向はｘ軸方向及びｙ軸方向とは異なる。即ち、第１方向はｘ軸と平行せず、ｙ軸とも平行しない。第１方向はｘ軸方向に対して傾斜し、かつ第１方向とｘ軸方向との間に第１夾角を具える。第１方向がｘ軸方向に対して傾斜するとは、第１方向とｘ軸との夾角が４５度より小さいことを指す。この発明の他の実施の形態において、第１夾角は２０度より小さいか、又は１５より小さいか、又は１０度より小さいか、又は第１夾角が１５〜２０度であってもよく、もしくは第１夾角が１０〜１５度であってもよい。第２部分２は第２方向に沿って傾斜して設ける。第２方向はｘ軸方向及びｙ軸方向とは異なる。即ち、第２方向はｘ軸と平行行せず、ｙ軸とも平行しない。同時に第１方向とも平行しない。第２方向はｘ軸方向に対して傾斜し、かつ第２方向とｘ軸方向との間に第２夾角を具える。第２方向もｘ軸方向に近接する。この発明の他の実施の形態において、第２夾角は１６０度〜１８０度であってもよく、１６５度〜１８０度であってもよく、１６５度〜１７０度か、１６０度〜１６５度であってもよい。
【００４１】
第１部分１は、少なくとも第１メイン部１１と、複数の第１サブ部１２とを含む。第１メイン部１１は第１方向に沿って傾斜して設ける。複数のサブ部１２は、それぞれ平行し、かつ第１メイン部１１と交わる。第２部分２は、少なくとも第２メイン部２１と、複数の第２サブ部２２とを含む。第２メイン部２１は第２方向に沿って傾斜して設け、かつ第１メイン部１１に接続する。この発明の他の実施の形態において、第１サブ部１２は第２サブ部２２と平行させて設けてもよい。この発明のその他の実施の形態では、互いに平行して設けられる複数の第１サブ部１２について、隣り合う両第１サブ１２間の距離をいずれも等しくし、互いに平行して設けられる複数の第２サブ部２２について、隣り合う両第２サブ部２２間の距離をいずれも等しくする。この発明の別の実施の形態においては、互いに平行して設けられる複数の第１サブ部１２について、隣り合う両第１サブ１２間の距離をいずれも等しくし、互いに平行して設けられる複数の第２サブ部２２について、隣り合う両第２サブ部２２間の距離をいずれも等しく、かつ、隣り合う両第１サブ１２間の距離と、隣り合う両第２サブ部２２間の距離とを等しくするとともに、第１サブ部１２と第２サブ部２２とを互いに平行にする。上述する実施の形態において、画素電極の第１部分１の第１サブ部１２と第２部分２の第２サブ部２２の数を同一にする。
【００４２】
従来の技術と異なり、この発明の実施の形態は、アレイ基板上の画素電極が傾斜するようデザインされている、このため画素電極はｘ軸及びｙ軸とは異なる方向に傾斜して設けられる。よって、偏光サングラスを介して液晶デバイスを見た場合の液晶デバイス上の画像の視認性を効率よく改善し、視野角に対する依存度を低減させることができる。同時に、この発明の実施の形態における画素電極は、異なる方向に傾斜する第１部分１と第２部分２とに分け、即ち、ダブルルート構造を形成し、左右広視野角におけて偏色が発生するという状況を改善することができる。
【００４３】
図３に開示するように、第１夾角と第２夾角とは互いに補いあう。即ち、第１方向ａ上の直線と第２方向ｂ上の直線とは、ｘ軸を対称軸として線対称を呈する。この発明の実施の形態において、第１夾角が１６０度の場合、第２夾角は２０度であって、第１夾角が１６５度の場合は、第２夾角は１５度となる。この発明の実施の形態は、第１夾角と第２夾角とが互いに補い合うように設け、このためさらに一歩進んで偏光サングラスを介して液晶デバイスを見た場合の液晶表示デバイス上の画像の視認性を改善し、その他角度からの観察に対する依存度を低減させることができる
【００４４】
図１に開示するように、それぞれの画素電極の第１部分１は２つの互いに平行する第１メイン部１１を含み、それぞれ第１方向に沿って傾斜して設ける。複数の第１サブ部１２は、それぞれ２つの第１メイン部１１の間に設けられ、かつ２つの第１メイン部１１と交わる。それぞれの画素電極の第２部分２は、少なくとも１以上の第２メイン部２１と複数の第２サブ部２２とを含む。第２メイン部２１は第２方向に沿って傾斜して設けられ、かつそれぞれ第１メイン部１１に接続する。複数の第２サブ部２２は、それぞれ２つの第２メイン部２１の間に設けられ、かつ２つの第２メイン部２１と交わる。この発明の他の実施の形態において、３つ、又はさらに多くの第１メイン部１１か、又は第２メイン部２１を設けてもよい。
【００４５】
複数の第２サブ部２２と複数の第１サブ部１２とは互いに平行する。即ち、画素電極全体において、メイン部は延伸する方向の異なる２つの部分に分けられる。画素電極のすべてのサブ部は、いずれも互いに平行する。この発明の実施の形態において、互いに平行して設けられる複数の第１サブ部１２と第２サブ部２２は、隣り合う両サブ部の間の距離が等しい。この発明の実施の形態による方式は、複数の第２サブ部と複数の第１サブ部１２とを平行にして設けることで、さらに一歩進んで液晶表示デバイスの画像の視認性を高めることができる。
【００４６】
図２に開示するように、アレイ基板は複数の走査線と複数のデータ線とを含む。それぞれの走査線は複数の第１走査線ステージ３１と複数の第２走査線ステージ３２とを含む。複数の第１走査線ステージ３１と複数の第２走査線ステージ３２は互い違いに設け、かつ接続する。複数の第１走査線ステージ３１は第２方向に傾斜して設けられ、複数の第２走査線ステージ３２は第１方向に傾斜して設けられる。それぞれのデータ線は複数の第１データ線ステージ４１と複数の第２データ線ステージ４２と複数の第３データ線ステージ４３とを含み、複数の第１データ線ステージ４１と複数の第２データ線ステージ４２と複数の第３データ線ステージ４３とは、第１データ線ステージ４１、第２データ線ステージ４２、第１データ線ステージ４１、第３データ線ステージ４３の順に互い違いに設け、かつ接続する。複数の第１データ線ステージ４１は、それぞれ複数の第１サブ部に平行し、複数の第２データ線ステージ４２は、それぞれ第２方向に傾斜して設けられ、複数の第３走査ステージ４３は第１方向に傾斜して設けられる。複数のデータ線と複数の走査線とは互いに交差してアレイ基板を複数の閉鎖領域に分割する。画素電極はそれぞれ複数の該閉鎖領域に設けられる。この発明の実施の形態において、第２データ線ステージ４２と第１走査線ステージ３１とは長さが同一であり、第３データ線ステージ４３と第２走査線ステージ３２とは長さが同一である。係る構成によってデータ線と走査線の配置がさらに合理的になり、アレイ基板上のスペースの利用率を高めることができる。
【００４７】
第２データ線ステージ４２と第１走査線ステージ３１とは、少なくとも部分的に重畳し、かつ異なる層に位置する。第３データ線ステージ４３と第２走査線ステージ３２とは、少なくとも部分的に重畳し、かつ異なる層に位置する。アレイ基板上には複数の絶縁層を含み、第２データ線ステージ４２と第１走査線ステージ３１を異なる層の同一の位置に設け、第３データ線ステージ４３と第２走査線ステージ３２を異なる層の同一の位置に設けることによって、スペースの利用率をさらに高めることができる。
【００４８】
アレイ基板は、薄膜トランジスタ５をさらに含み、薄膜トランジスタ５はドレイン電極が画素電極の第１メイン部か、第２メイン部に接続し、ソース電極がデータ線に接続し、かつゲート電極が走査線に接続する。この発明の実施の形態において、薄膜トランジスタ５は第１データ線ステージ４１と第２走査線ステージ３２とが交わる位置に設ける。
【００４９】
図２に開示するように、この発明の他の実施の形態は一種のアレイ基板を提供するものであって、アレイ基板はｘ軸方向とｙ軸方向とに沿って延伸する矩形基板である。ｘ軸方向とｙ軸方向とは直交する。アレイ基板は複数の走査線と複数のデータ線と複数の画素電極とを含む。
【００５０】
それぞれの走査線は複数の第１走査線ステージ３１と複数の第２走査線ステージ３２とを含む。複数の第１走査線ステージ３１と複数の第２走査線ステージ３２は互い違いに設け、かつ接続する。複数の第２走査線ステージ３２は第１方向に傾斜して設けられ、複数の第１走査線ステージ３１は第２方向に傾斜して設けられる。第１方向はｘ軸方向及びｙ軸方向とは異なる。即ち、第１方向はｘ軸方向に対向して傾斜し、かつ第１方向とｘ軸方向との間に第１夾角を具える。第２方向はｘ軸方向とｙ軸方向と第１方向とは異なる。即ち、第２方向はｘ軸方向に対向して傾斜し、かつ第２方向とｘ軸方向との間に第２夾角を具える。
【００５１】
それぞれのデータ線は複数の第１データ線ステージ４１と複数の第２データ線ステージ４２と複数の第３データ線ステージ４３とを含み、複数の第１データ線ステージ４１と複数の第２データ線ステージ４２と複数の第３データ線ステージ４３とは、第１データ線ステージ４１、第２データ線ステージ４２、第１データ線ステージ４１、第３データ線ステージ４３の順に互い違いに設け、かつ接続する。複数の第１データ線はｙ軸方向に対向し傾斜して設けられる。ｙ軸方向に対向し傾斜して設けられるとは、第１データ線の方向がｙ軸にさらに近接することを指し、ｙ軸との夾角は４５度より小さくする。複数の第２データ線ステージ４２は、それぞれ第２方向に沿って傾斜して設けられ、複数の第３データ線ステージ４３は、それぞれ第１方向に沿って傾斜して設けられる。
【００５２】
それぞれの画素電極は、第１部分１と第２部分２とを含み、第１部分は第１方向に沿って傾斜して設けられる。第２部分は第２方向に沿って傾斜して設けられる。第１部分１は、少なくとも複数の第１メイン部と複数の第１サブ部とを含み、第１メイン部は第１方向に沿って傾斜して設けられ、第１サブ部は、それぞれ平行し、かつ第１メイン部と交わる。第２部分２は、少なくとも１つの第２メイン部と複数の第２サブ部とを含み、第２メイン部は第２方向に沿って傾斜して設けられ、かつ第１メイン部と交わる。複数の第２サブ部は、それぞれ平行し、かつ第２メイン部と交わる。
【００５３】
従来の技術と異なり、この発明の実施の形態は、アレイ基板上の画素電極が傾斜するようデザインされている、このため画素電極はｘ軸及びｙ軸とは異なる方向に傾斜して設けられる。よって、偏光サングラスを介して液晶デバイスを見た場合の液晶デバイス上の画像の視認性を効率よく改善し、その他角度からの観察に対する依存度を低減させることができる。同時に、この発明の実施の形態における画素電極は、異なる方向に傾斜する第１部分１と第２部分２とに分け、即ち、ダブルルート構造を形成し、左右広視野角におけて偏色が発生するという状況を改善することができる。
【００５４】
第１夾角と第２夾角とは互いに補い合う。
【００５５】
それぞれの画素電極の第１部分１は２つの互いに平行する第１メイン部を含み、それぞれ第１方向に沿って傾斜して設ける。複数の第１サブ部は、それぞれ２つの第１メイン部の間に設けられ、かつ２つの第１メイン部と交わる。それぞれの画素電極の第２部分は、２つの互いに平行する第２メイン部を含み、それぞれ第２方向に沿って傾斜して設けられ、かつそれぞれ第１メイン部に接続する。複数の第２サブ部は、それぞれ２つの第２メイン部の間に設けられ、かつ２つの第２メイン部と交わる。
【００５６】
第２データ線ステージ４２と第１走査線ステージ３１とは、少なくとも部分的に重畳し、かつ異なる層に位置する。第３データ線ステージ４３と第２走査線ステージ３２とは、少なくとも部分的に重畳し、かつ異なる層に位置する。
【００５７】
図４に開示するこの発明の別の実施の形態は、液晶表示デバイスを提供するものであって、上述するアレイ基板６と、アレイ基板６と対向して設けるカラーフィルタ基板７と、アレイ基板６とカラーフィルタ基板７との間に設ける液晶層８とを含み、アレイ基板６は、さらにコモン電極６２を含む。画素電極６１とコモン電極６２は液晶層８に対して横方向の電場を印加する。アレイ基板６は、ガラス基板６３をさらに含む。コモン電極６２と画素電極６１はガラス基板６３上に設ける。コモン電極６２と画素電極６１は絶縁層６４を介して隔離する。
【００５８】
以上はこの発明の好ましい実施の形態を述べたに過ぎず、この発明の実施の範囲を限定する者ではない。よって、凡そこの発明の明細書と添付の図面の内容を利用してなし得る均等の効果を有する構造の変更、又はプロセスの修正、もしくは直接、間接的にその他関連技術の領域転用することは、いずれも同一の理論に基づくものであって、いずれもこの発明の特許請求の範囲に含まれるものとする。
【符号の説明】
【００５９】
１        第１部分
１１      第１メイン部
１２      第１サブ部
２        第２部分
２１      第２メイン部
２２      第２サブ部
３１      第１走査線ステージ
３２      第２走査線ステージ
４１      第１データ線ステージ
４２      第２データ線ステージ
４３      第３データ線ステージ
５        薄膜トランジスタ
６        アレイ基板
６１      画素電極
６２      コモン電極
６３      ガラス基板
６４      絶縁層
７        カラーフィルタ基板
８        液晶層
ａ        第１方向
ｂ        第２方向
【図１】
0006488407.tif 000002
【図２】
0006488407.tif 000003
【図３】
0006488407.tif 000004
【図４】
0006488407.tif 000005